(57)【要約】【課題】関東以南に巨大な地震が来ると政府や報道が騒ぐ中、阪神淡路大震災のように中高層のビルの１階や途中の階が崩壊し建物の天井が、建物内の避難通路を塞ぎ、建物内から地上へ行けず、震災で命が助かっても大都市では人口の多さから救援隊が来るか解らず、食料や水を使い果たし飢餓で命を落とすと考えられ、地震が来てみなければ崩壊するか解らない状態で、被災者も自ら自分の命を守るために、自力で避難所へ行き、被災者として登録されなければ支援の物資も手に入れられず、自らを助ける為ロープが地上まで垂らせられるジブブラケットの器具を提供する。【解決手段】建造物の外壁に取り付け、床のあるベランダや窓から手が届くところでロープをジブの先端に設置でき、安全な状態でロープにぶら下がれる様に成ってから、アームを壁面と直角に旋回、固定し、建造物から離れた場所にロープが下げられる特徴を持ったロープ支持器である。【選択図】図１
2014145155.tif 000002
【特許請求の範囲】
【請求項１】
建造物のベランダや窓などの周りにジブブラケット本体（１）を外壁面に取り付けることで、アーム（９）を倒した位置で、ベランダや窓等床のあるところで安全に吊り下げるロープが設置でき、ロープに降下器などを施しぶら下がれる状態になってから、建造物の外に体を出すことで安全を担保することができ、地上に降下することができるジブブラケット本体（１）を提供する。
【請求項２】
ジブブラケットのアームが外壁と平行または所定の位置にアームが来るように位置決めを施す。
【請求項３】
アームの固定を自動的に直角または任意の位置で固定する。
【請求項４】
建造物側に洲があり、固定強度が保てない場合があるので、ジブブラケットベースの取り付け穴の個数、列数を増設する。
【請求項５】
アーム（９）の先端の金具をアーム（９）を貫通する形、アーム（９）に直接他形状の環を溶着、ナット止め、挟み止め、接着、その他部材の施工を施す。
【発明の詳細な説明】
【技術分野】
【０００１】
阪神・淡路大震災では中高層のビルが１階や途中の階で崩壊している事象を映像で見て、崩壊した階の天井がその建物の避難通路を尽く塞ぐだろうと考えられ、崩壊した階の上の階で地震で助かっても、地上に降りられなくなることから、建物の外に新たな防災路を築かなければ、地上に降りて避難所にも行けなくなる、そこで既存の建築物から少し離れたところに太いロープが垂らせられるように前もって、可動式のロープ支持器を提供することにある。
【背景技術】
【０００２】
昨今の市街地は、中高層のビルに覆われ、道路から見れば断崖絶壁の地形をなし、そんな市街地に大きな地震が襲えば、阪神淡路大震災時には、１階や途中の階が崩壊した建物もあり、どのビルがそうなるかは解りませんが、自分の住んでいる建造物、自分が働いている建造物が崩壊するかわからない中で震災に対応しようとすれば、高所に、地上まで降りられる太いロープでの防災通路があれば、建造物の途中階が崩壊し、建造物内の避難通路が失われても、太いロープが使用できる降下器による脱出ルートが構築でき、地上に降り立つことができれば避難所での被災者としての登録ができ、支援物資の配給を受けることであすへの希望が見いだせるだろうと思います。
【先行技術文献】
【特許文献】
【０００３】
【特許文献１】特開平１１−２５５４７１  吊り荷装置特開
【特許文献２】２００８−１１９１６４  避難機器
【発明の概要】
【発明が解決しようとする課題】
【０００４】
建物の高所に居る人が震災や火災などで、建物の内部から地上へ向かえなくなった時の解決策として建物の外部から地上に降り立てる環境を整備することにある。
【課題を解決するための手段】
【０００５】
建物の外から地上に降り立つ為に、一般の人でも扱いやすい、建設業で使用されているフックがついた16ミリの安全ロープ（親綱）を引っ掛けられる金具が外壁に取り付いている必要がある。また、建物からある程度、離れて降りられるものでないと建物に体がぶつかり、あらぬ方向へ飛ばされる恐れもある事、建造物も中高層ビルなどに変身し建造されているので、外壁に取り付けられる支持物を提供することにある。
【発明の効果】
【０００６】
中高層のビルの窓などの1角にロープを引っ掛ける金具が覗くので、建物の中から安全にロープが引っ掛けられ、アームを建物に対して直角に振ることで建物からの少し離れたところにロープを垂らせるので、体が建物にぶつかることもなく垂直に降下することができる環境が作れ、ロープに降下器でぶる下がることで、ロープから離れることがない防災路を建物の外に構築できる。
【図面の簡単な説明】
【０００７】
【図１】ジブブラケット本体正面図
【図２】ジブブラケット本体側面図
【図３】回転軸受け図
【図４】アームシャフト支持軸受部図
【図５】アームシャフト図
【図６】ジブブラケットベース図
【図７】回転軸付属図
【図８】アームシャフト軸図
【図９】軸制動位置決め部材図
【図１０】アームストッパー部材図
【図１１】回転軸受けと回転軸図
【図１２】アーム支持軸受支え部材図
【図１３】請求項２  ベース説明図
【図１４】請求項３  シャフト説明図
【図１５】請求項４  ロープ支持丸環図
【発明を実施するための形態】
【０００８】
本発明は、建物の外壁にアームをブラケットとして取り付けることができる器具であり、ジブブラケット本体（１）は、縦長の板に左右の端よりで上下の端よりと中間に3つの取り付け穴（３）を２列配置したジブブラケットベース（２）を土台に、上側にアーム（９）の先端を支える為の回転軸受（４）を設け、回転軸受（４）に回転軸（５）を挟み入れ、回転軸固定軸（１５）を回転軸受（４）を貫通する穴に通して固定し、回転軸受（４）の上に回転軸（５）を制動位置決め（６）を設けて回転軸（５）の位置決めとともにアーム支持シャフト（７）、アーム（９）の先端のぶれを補正する構造を有し、また、下の取り付け穴の上にアーム（９）を支持するアーム支持軸受（８）を取り付け、アーム支持軸受（８）を支えるアーム支持軸受支え金具（１０）がジブブラケットベース（２）の下方から支え、アーム支持軸受（８）にはロープをぶら下げられるアーム（９）を差し入れ、ジブブラケットベース（２）寄りにアーム（９）を左右に回転させるアーム軸（１６）がアーム支持軸受（８）を貫通するように取り付けられ、アーム（９）を固定すると共に回転させる構造を有し、アーム支持軸受（８）の上でアーム軸（１６）の手前にアーム制動位置決め（１３）が設けられ、アーム（９）がジブブラケットベース（２）に直角になるように位置決めをする構造で、その手前にはアーム（９）を固定するために、アーム固定ピン（１２）を差し込むためのアーム固定ピン案内筒（１４）を設け、アーム（９）をジブブラケットベース（２）に対して直角に固定する構造を有する、また、アーム（９）の先端にはロープを引っ掛けたり、結べる構造を有したロープ吊り金具（１７）を設け、ロープを吊り下げる構造を有し、また、アーム（９）の先端が負荷で下がらないように回転軸（５）とアーム（９）の先端にアーム支持シャフト（７）を溶着した構造を有するロープ支持金具を提供するものである。
【実施例】
【０００９】
建造物の外壁（ベランダや窓等）のそばに取り付け、ジブブラケットのアーム（９）がジブブラケットベース（２）に対して並行の時にベランダや窓から安全にロープを掛けたり、縛ったりの設置が建物内でできるようにし、ロープに降下器などを設置しぶら下がれる状態になってから建物の外に体を出せるようにする為の構造がジブ（アーム）構造で、窓やベランダを外れた位置にロープが建物から離れた場所に降りられる仕組みのロープ支持金具を提供することにある。
【産業上の利用可能性】
【００１０】
昨今、関東以南で大きな地震が来ると政府や報道が伝えていることもあり、阪神淡路大震災のように、中高層ビルの１階や途中の階が崩壊している映像を見れば地震が来る前に備えておかなければ、どの建物が潰れるかわからに中で、前もって備えておかなければ地震が来てからでは遅く、来た時に建物の崩壊を受けて脱出する手段を持てば、建物から出られない人が救え、計り知れない被災に一人でも多くの被災者を助け支援者を作ることは被災に対して大変重要なことで、大災害においては共に生きるという姿勢が必要で防災器具を作ることで一役立つ思いで申請させていただきました。
【符号の説明】
【００１１】
１、ジブブラケット本体
２、ジブブラケットベース
３、ジブブラケット本体取り付け穴
４、回転軸軸受
５、回転軸
６、回転軸制動位置決め
７、アーム支持シャフト軸
８、アーム支持軸受
９、アーム
１０、アーム支持軸受支え金具
１１、アーム固定ピン脱落防止ワイヤー
１２、アーム固定ピン
１３、アーム軸制動位置決め
１４、アームピンストッパー案内筒
１５、回転軸固定軸
１６、アームシャフト軸
１７、ロープ吊り金具
１８、ロープ吊り金具ナット
１９、アーム軸導入口
【図１】
2014145155.tif 000003
【図２】
2014145155.tif 000004
【図３】
2014145155.tif 000005
【図４】
2014145155.tif 000006
【図５】
2014145155.tif 000007
【図６】
2014145155.tif 000008
【図７】
2014145155.tif 000009
【図８】
2014145155.tif 000010
【図９】
2014145155.tif 000011
【図１０】
2014145155.tif 000012
【図１１】
2014145155.tif 000013
【図１２】
2014145155.tif 000014
【図１３】
2014145155.tif 000015
【図１４】
2014145155.tif 000016
【図１５】
2014145155.tif 000017
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
建造物のベランダや窓などの周りにジブブラケット本体（１）を外壁面に取り付けることで、アーム（９）を倒した位置で、ベランダや窓等床のあるところで安全に吊り下げるロープが設置でき、ロープに降下器などを施しぶら下がれる状態になってから、建造物の外に体を出すことで安全を担保することができ、地上に降下することができるジブブラケット本体（１）であって、本発明のジブブラケット本体（１）は、縦長の板に左右の端よりで上下の端よりと中間に3つの取り付け穴（３）を２列配置したジブブラケットベース（２）を土台に、上側にアーム（９）の先端を支える為の回転軸受（４）を設け、回転軸受（４）に回転軸（５）を挟み入れ、回転軸固定軸（１５）を回転軸受（４）を貫通する穴に通して固定し、回転軸受（４）の上に回転軸（５）を制動位置決め（６）を設けて回転軸（５）の位置決めとともにアーム支持シャフト（７）、アーム（９）の先端のぶれを補正する構造を有し、また、下の取り付け穴の上にアーム（９）を支持するアーム支持軸受（８）を取り付け、アーム支持軸受（８）を支えるアーム支持軸受支え金具（１０）がジブブラケットベース（２）の下方から支え、アーム支持軸受（８）にはロープをぶら下げられるアーム（９）を差し入れ、ジブブラケットベース（２）寄りにアーム（９）を左右に回転させるアーム軸（１６）がアーム支持軸受（８）を貫通するように取り付けられ、アーム（９）を固定すると共に回転させる構造を有し、アーム支持軸受（８）の上でアーム軸（１６）の手前にアーム制動位置決め（１３）が設けられ、アーム（９）がジブブラケットベース（２）に直角になるように位置決めをする構造で、その手前にはアーム（９）を固定するために、アーム固定ピン（１２）を差し込むためのアーム固定ピン案内筒（１４）を設け、アーム（９）をジブブラケットベース（２）に対して直角に固定する構造を有する、また、アーム（９）の先端にはロープを引っ掛けたり、結べる構造を有したロープ吊り金具（１７）を設け、ロープを吊り下げる構造を有し、また、アーム（９）の先端が負荷で下がらないように回転軸（５）とアーム（９）の先端にアーム支持シャフト（７）を溶着した構造を有するジブブラケット本体。
【請求項２】
ジブブラケットのアームが外壁と平行または所定の位置にアームが来るように位置決めを施した請求項１に記載したジブブラケット本体。
【請求項３】
アームの固定を自動的に直角または任意の位置で固定する事ができる請求項１に記載したジブブラケット本体。
【請求項４】
建造物側に洲があり、固定強度が保てない場合があるので、ジブブラケットベースの取り付け穴の個数、列数を増設する請求項１に記載したジブブラケット本体。
【請求項５】
アーム（９）の先端の金具をアーム（９）を貫通する形、アーム（９）に直接他形状の環を溶着、ナット止め、挟み止め、接着、その他部材の施工を施した請求項１に記載したジブブラケット本体。